(57)【特許請求の範囲】
【請求項１】
幹線挿通路から枝線挿通路が連続して設けられていると共に、前記幹線挿通路および枝線挿通路は底壁の幅方向の両端から側壁を立設している本体と、該本体の上面開口を閉鎖する蓋で構成されているワイヤハーネス用のプロテクタであって、
前記幹線挿通路に挿通するワイヤハーネスの幹線から分岐して前記枝線挿通路を挿通する枝線の有無が発生し得る枝線挿通路には、該枝線挿通路の途中あるいは出口を閉鎖する閉鎖板を前記本体と一体または別体で後付けして備え、
前記閉鎖板は挿通する枝線に押圧されて、折り曲げられる弾性または破られる脆弱性を備えていることを特徴とするワイヤハーネス用のプロテクタ。
【請求項２】
前記閉鎖板は前記枝線挿通路を横断して全閉できる矩形状平板とし、該閉鎖板の上端から下向きの複数の切り込みを備え、該切り込みで分割される短冊状の分割片は上方から枝線により押し下げると、各分割片が根元から倒れるように折り曲げられて枝線の挿通を可能としている請求項１に記載のワイヤハーネス用のプロテクタ。
【請求項３】
前記本体及び蓋は樹脂製とし、前記閉鎖板はエラストマーまたはゴム製とし、前記枝線挿通路の途中に設ける前記閉鎖板は２色成形で形成し、
前記枝線挿通路の出口に後付けで取り付ける前記閉鎖板はキャップ状とし、前記出口に外嵌して取り付けている請求項１または請求項２に記載のワイヤハーネス用のプロテクタ。
【請求項４】
樹脂フィルムで前記閉鎖板を形成し、前記枝線挿通路の出口を閉鎖するように前記樹脂フィルムを被せると共に、該樹脂フィルムを折り曲げて両側壁の外面に接着している請求項１に記載のワイヤハーネス用のプロテクタ。
【請求項５】
幹線挿通路から枝線挿通路が連続して設けられていると共に、前記幹線挿通路および枝線挿通路は底壁の幅方向の両端から側壁を立設している本体と、該本体の上面開口を閉鎖する蓋を備えたワイヤハーネス用のプロテクタであって、
前記幹線挿通路に挿通するワイヤハーネスの幹線から分岐して前記枝線挿通路を挿通する枝線の有無が発生し得る前記枝線挿通路には、該枝線挿通路の途中を閉鎖する閉鎖板を備え、該閉鎖板は一方の前記側壁の内面から薄肉ヒンジ部を介して揺動自在に突設し、
前記枝線挿通路に枝線がある時は、該閉鎖板を出口側へと回転させて開いて枝線の挿通を可能としていることを特徴とするワイヤハーネス用のプロテクタ。
【発明の詳細な説明】
【技術分野】
【０００１】
本発明はワイヤハーネス用のプロテクタに関し、特に、ワイヤハーネスの幹線から分岐する枝線の有無に対応できる構造としている。
【背景技術】
【０００２】
自動車等の車両に配索するワイヤハーネスは経路規制およびワイヤハーネスの保護を図る必要がある領域では、樹脂成形品からなるプロテクタで外装している。
この種のプロテクタは、ワイヤハーネスの幹線から分岐する枝線があり、該枝線も幹線と同様にプロテクタで保護する必要がある場合、図９に示すように、プロテクタ１００にワイヤハーネスの幹線１５０を貫通する幹線挿通路１１１と、枝線１６０を挿通する枝線挿通路１１２を設けている。
【０００３】
前記プロテクタ１００で外装するワイヤハーネスが、車種の相違やグレードの相違で幹線から枝線１６０が分岐されておらず、プロテクタ１００の枝線挿通路１１２に枝線１６０が配線されない場合がある。その場合、枝線挿通路１１２の出口１１２ａが空いた状態となり、浸水および埃等の異物がプロテクタ１００の内部に入り込み易くなり、プロテクタ１００内に貫通する幹線１５０に悪影響を及ぼす恐れがある。該問題を解消するには、枝線用の分岐部分を設けていないプロテクタを別に設ければ良いが、枝線の有無で別種のプロテクタを設けると部品点数が増加し、コスト高になる。
【０００４】
従来、本出願人は特開平８−２５１７５４号公報において、図１０に示すプロテクタ２００を提供している。該プロテクタ２００はワイヤハーネスの設計変更に対応できる構成としており、本体部２１０の両側壁２１１、２１２を複数に分割した側壁２１１Ａ、２１２Ａで構成している。これら分割した各側壁２１１Ａ、２１２Ａは底壁２１５から外方へ倒伏自在に独立して立設し、ワイヤハーネスの幹線１５０から枝線１６０が分岐する位置に対応した側壁２１１Ａ、２１２Ａを選択して外方へ倒伏させ、枝線１６０をプロテクタ２００から引き出している。
【先行技術文献】
【特許文献】
【０００５】
【特許文献１】特開平８−２５１７５４号公報
【発明の概要】
【発明が解決しようとする課題】
【０００６】
図１０に示すプロテクタ２００を用いると、幹線から分岐する枝線が無い場合には、側壁２１１Ａ、２１２Ａを倒伏させないだけでよいが、所要の側壁２１１Ａ、２１２Ａを選択して倒伏させて枝線１６０を引き出す場合、枝線１６０の下面だけが倒された側壁で支持されるだけで、枝線１６０の全周が保護されない。よって、周辺に外部干渉材がある場合には採用できない。かつ、両側壁の分割した複数の側壁２１１Ａ、２１２Ａを起立状態に保持するために、蓋２１８と係止する必要があり、作業手数がかかると共に構造が複雑になる問題がある。さらに、幹線挿通路の出口側で電線群が分割されて枝線に別れる場合等にも前記プロテクタ２００を採用できない。
【０００７】
本発明は前記問題に鑑みてなされたもので、枝線用の分岐部分を幹線用の本体部分から分岐して設けているが、該分岐部分に通る枝線が無い場合に、分岐部分の出口からの浸水および異物の侵入を防止できるプロテクタを提供することを課題としている。
【課題を解決するための手段】
【０００８】
前記課題を解決するため、第１の発明は、幹線挿通路から枝線挿通路が連続して設けられていると共に、前記幹線挿通路および枝線挿通路は底壁の幅方向の両端から側壁を立設している本体と、該本体の上面開口を閉鎖する蓋で構成されているワイヤハーネス用のプロテクタであって、
前記幹線挿通路に挿通するワイヤハーネスの幹線から分岐して前記枝線挿通路を挿通する枝線の有無が発生し得る前記枝線挿通路には、該枝線挿通路の途中あるいは出口を閉鎖する閉鎖板を前記本体と一体または別体で後付けして備え、
前記閉鎖板は挿通する枝線に押圧されて、折り曲げられる弾性または破られる脆弱性を備えていることを特徴とするワイヤハーネス用のプロテクタを提供している。
【０００９】
具体的には、前記閉鎖板は前記枝線挿通路を横断して全閉できる矩形状平板とし、該閉鎖板の上端から下向きの複数の切り込みを備え、該切り込みで分割される短冊状の分割片は上方から枝線により押し下げると、各分割片が根元から倒れるように折り曲げられて枝線の挿通を可能としている。
【００１０】
閉鎖板の分割片がスムーズに折り曲げられるためにはエラストマーまたはゴムからなる弾性材で形成することが好ましい。
よって、前記本体及び蓋は樹脂製とし、前記閉鎖板はエラストマーまたはゴム製とし、  前記枝線挿通路の途中に設ける前記閉鎖板は２色成形で形成し、
前記枝線挿通路の出口に後付けで取り付ける前記閉鎖板はキャップ状とし、前記出口に外嵌して取り付けることが好ましい。
【００１１】
前記閉鎖板に設ける複数の切り込みは、枝線挿通路の幅方向両側の側壁に近接する位置の切り込み長さを短くし、幅方向の中央に向けて切り込みの長さを漸次長くし、断面円形の枝線の外形にそって円弧状に折り曲げられるようにすることが好ましい。
【００１２】
閉鎖板をエラストマー等の弾性材で形成する代わりに、枝線が押し付けられると簡単に破れる脆弱性を有する塩化ビルニ製ラップ、ポリエチレン製ラップ等の樹脂フィルムで閉鎖板を形成し、前記枝線挿通路の出口を閉鎖するように前記樹脂フィルムを被せると共に両側を両側壁の外面に接着してもよい。
【００１３】
本発明の前記プロテクタでは、本体と蓋とは別体とし、本体にワイヤハーネスを挿通した後に前記蓋を被せてロック結合しても良いし、本体の一方の側壁に蓋を薄肉ヒンジ部を介して一体的に設けておいてもよい。
【００１４】
また、第２の発明として、幹線挿通路から枝線挿通路が連続して設けられていると共に、前記幹線挿通路および枝線挿通路は底壁の幅方向の両端から側壁を立設している本体と、該本体の上面開口を閉鎖する蓋を備えたワイヤハーネス用のプロテクタであって、
前記幹線挿通路に挿通するワイヤハーネスの幹線から分岐して前記枝線挿通路を挿通する枝線の有無が発生し得る前記枝線挿通路には、該枝線挿通路の途中を閉鎖する閉鎖板を備え、該閉鎖板は一方の前記側壁の内面から薄肉ヒンジ部を介して揺動自在に突設し、
前記枝線挿通路に枝線がある時は、該閉鎖板を出口側へと回転させて開いて枝線の挿通を可能としていることを特徴とするワイヤハーネス用のプロテクタを提供している。
【００１５】
前記閉鎖板は樹脂製とし、本体と一体成形することができる。
なお、前記閉鎖板をエラストマーまたはゴム製とし、本体と２色成形してもよい。
【００１６】
前記閉鎖板は枝線を通さない場合、閉鎖位置に保持しておくため、閉鎖板の先端を円弧状とすると共に、側壁の内面に嵌合用の半球状凹部を設け、該半球状凹部に閉鎖板の先端を嵌合しておくことが好ましい。
前記構成とすると、枝線挿通時に閉鎖板を押すと、先端を半球状凹部からスムーズに離脱させて開き位置に回転作動できると共に、枝線が無い時に、閉鎖板を閉鎖位置に位置決め保持することができる。
【００１７】
プロテクタの幹線挿通路にはワイヤハーネスの幹線を本体の上面開口から挿入しているが、前記枝線挿通路では枝線を前記のように幹線挿通路側から閉鎖板を開き方向に回転させるように挿通している。該枝線の挿通作業は、枝線挿通路が比較的短いため作業性を阻害しない。
あるいは、枝線挿通路に枝線を通す時に作業員が閉鎖板を回転させて開放位置にした状態で上方から枝線を枝線挿通路に挿入しても良い。
【発明の効果】
【００１８】
前記発明のワイヤハーネス用のプロテクタでは、車種や車格等に応じて、該車両に配索するワイヤハーネスの幹線から分岐する枝線が有る場合と無い場合が生じるが、該ワイヤハーネス用のプロテクタの枝線挿通路の本体に閉鎖板を設けておくと、枝線が無い時は閉鎖板で枝線挿通路を閉鎖して、出口からの浸水および異物の侵入を防止できる。また、枝線が有る時は閉鎖板を枝線で折り曲げて、枝線挿通路を開いて、枝線を通すことができる。よって、枝線の有無によってプロテクタを別部品として設ける必要はなく、部品点数の削減ができる。
【図面の簡単な説明】
【００１９】
【図１】本発明の第１実施形態のプロテクタを示し、（Ａ）は本体と蓋との分解斜視図、（Ｂ）は本体と蓋とを組み付けた状態の斜視図である。
【図２】前記プロテクタで外装するワイヤハーネスを示し、（Ａ）は幹線から枝線が分岐しているワイヤハーネスの斜視図、（Ｂ）は幹線から枝線が分岐していないワイヤハーネスの斜視図である。
【図３】前記プロテクタの本体の平面図、（Ｂ）は要部斜視図、（Ｃ）は閉鎖板が枝線により折り曲げられて枝線挿通路を開く状態を示す斜視図である。
【図４】前記プロテクタに枝線があるワイヤハーネスを挿通する場合を示し、（Ａ）は本体にワイヤハーネスを通した状態の平面図、（Ｂ）はプロテクタでワイヤハーネスを外装した状態の斜視図である。
【図５】前記プロテクタに枝線がないワイヤハーネスを挿通する場合を示し、（Ａ）は本体にワイヤハーネスを通した状態の平面図、（Ｂ）はプロテクタでワイヤハーネスを外装した状態の斜視図である。
【図６】第２実施形態のプロテクタを示し、（Ａ）はプロテクタの本体の平面図、（Ｂ）は閉鎖板キャップを示す斜視図、（Ｃ）は（Ｂ）のＣ−Ｃ線断面図、（Ｄ）は枝線を挿通している状態の説明図である。
【図７】第３実施形態のプロテクタを示し、（Ａ）は本体の斜視図、（Ｂ）は要部拡大図、（Ｃ）は枝線を通す場合の作用説明図である。
【図８】第４実施形態のプロテクタを示し、（Ａ）は本体の平面図、（Ｂ）（Ｃ）は要部説明図である。
【図９】（Ａ）（Ｂ）は従来例を示す図面である。
【図１０】（Ａ）（Ｂ）は他の従来例を示す図面である。
【発明を実施するための形態】
【００２０】
以下、本発明のワイヤハーネス用のプロテクタを図面を参照して説明する。
図１乃至図５に第１実施形態を示す。
【００２１】
第１実施形態のワイヤハーネス用のプロテクタ１は、図２（Ａ）に示すワイヤハーネス５０の幹線５１を通す幹線挿通路２と、該幹線挿通路２の一側より枝線５２を通す枝線挿通路３を連続して設けている。該プロテクタ１には、図２（Ｂ）に示す幹線５１から分岐する枝線がないワイヤハーネスも外装できるものとしている。
幹線挿通路２と枝線挿通路３を備えたプロテクタ１は、別体とした本体１０と蓋１５とから構成し、本体１０の幹線挿通路２は底壁１１の幅方向の両端から側壁１２と１３を立設した断面凹形状とし、枝線挿通路３の側壁１４Ａ、１４Ｂは前記側壁１２の一部に設けた開口の両端から屈曲させて設けている。
【００２２】
前記本体１０にワイヤハーネス５０を通した後に、図１（Ｂ）に示すように、本体１０の上面開口に蓋１５を被せて閉鎖し、ロック結合している。即ち、蓋１５の周壁１６に設けたロック爪（図示せず）を本体１０の両側壁１２、１３に設けたロック枠（図示せず）に挿入係止してロック結合している。
【００２３】
前記枝線挿通路３に通す枝線５２はハイグレード車に設けているが、ローグレード車には設けていない。よって、枝線挿通路３に枝線５２を通す場合と、通さない場合が発生する。この枝線５２の有無に対応するため、枝線挿通路３の通路を開閉する閉鎖板２０を設けている。該閉鎖板２０を設ける位置は、枝線挿通路３の先端の出口３ａに近接した位置で且つ底壁１１と両側壁１４Ａ、１４Ｂで囲まれた位置としている。
【００２４】
閉鎖板はエラストマーからなる弾性材で形成し、樹脂製とする本体１０と２色成形して設けている。閉鎖板２０は枝線挿通路３を横断して閉鎖する平板形状とし、閉鎖板２０の底面は底壁１１の表面と連続させ、両側面は側壁１４Ａ、１４Ｂの内面と連続させ、閉鎖板２０の上端面２０ａを両側壁１４Ａ、１４Ｂの上端面と同一面に設定している。
【００２５】
閉鎖板２０の上端面２０ａから下向きの複数の切り込み２１を入れて、短冊状の複数の分割片２２を設けている。切り込み２１は微小幅で分割片２２の対向面が常時接触している状態としている。切り込み２１は幅方向両側の側壁１４Ａ、１４Ｂに近接する切り込み２１ａの長さを短くし、幅方向の中央側に向かって切り込み長さを漸次長くし、中央の切り込み２１ｂは底壁１１に近接する最大長さとしている。
本実施形態では、図３（Ｂ）に示すように５本の切り込み２１を設け、４個の分割片２２を設けている。閉鎖板２０の幅方向の両端部２３は両側壁１４Ａ、１４Ｂと連続成形しているため、屈曲しない。
【００２６】
図３（Ｂ）および図１に示すように、閉鎖板２０は枝線挿通路３を閉鎖する状態で形成されており、該状態で切り込み２１を挟んで隣接する分割片２２の対向面は接触した状態で、外部からの浸水や異物の混入を防ぐことができる。
一方、上方から枝線５２が押し込まれると、図３（Ｃ）に示すように、閉鎖板２０の分割片２２は、切り込み２１の下端位置を折り曲げ起点として、断面円形の枝線５２の外形にそって円弧状に折り曲げられるようにしている。
【００２７】
前記構成としたプロテクタ１を用いると、図４（Ａ）に示すように、ワイヤハーネス５０の幹線５１から枝線５２が分岐する場合、幹線５１を本体１０の幹線挿通路２に通し、枝線５２を枝線挿通路３に通す。この本体１０への幹線５１および枝線５２の挿入は本体１０の上面開口より挿入している。
【００２８】
枝線挿通路３に枝線５２を上面開口から挿入すると、まず、枝線５２の下面が閉鎖板２０の上端面と接触する。この状態から枝線５２を強く押し下げると、閉鎖板２０は分割片２２が切り込み２１の下端を折り曲げ起点として、枝線５２の押し下げに従って図３（Ｃ）に示すように折れ曲がり、枝線５２を枝線挿通路３に挿通する。この状態で、蓋１５を被せて本体１０とロック結合する。
閉鎖板２０の折り曲げられた分割片２２は弾性力により上方へ戻ろうとするが、ロック結合した蓋１５により規制され、蓋１５と折り曲げた分割片２２の間に枝線５２をガタつき無く挟持する。
【００２９】
一方、ワイヤハーネス５０が図２（Ｂ）に示す幹線５１のみからなり、枝線が分岐していない場合、図５（Ａ）に示すように、プロテクタ１の本体１０の枝線挿通路３に枝線は無い。よって、枝線挿通路３の途中の閉鎖板２０により閉鎖される。閉鎖板２０には切り込み２１が設けられているが、隣接する分割片２２の端面同士が接すると共に閉鎖板２０の下端部分には切り込み２１は無く連続しているため、枝線挿通路３の出口３ａから浸水して、底壁表面に沿った浸水は閉鎖板２０で遮断され、幹線挿通路２への浸水を阻止できる。かつ、出口３ａからの異物の侵入は閉鎖板２０で遮断でき、プロテクタ１の内部に挿通しているワイヤハーネス５０への悪影響を防止できる。
【００３０】
図６（Ａ）〜（Ｄ）に第２実施形態のプロテクタ１−２を示す。
該プロテクタ１−２では、枝線挿通路３を塞ぐ閉鎖板４０をエラストマー製の別体のキャップ状とし、枝線挿通路３の出口３ａに後付けで取り付けている。
【００３１】
キャップ状の閉鎖板４０はエラストマーで成形しており、図６（Ｂ）（Ｃ）に示すように、水平断面を略コ字形状とし、枝線挿通路３の出口３ａを塞ぐ正面部４１と、該正面部４１の両側から屈折する側部４２、４３と、側部４２、４３の上端から屈曲する両側上部４４、４５と、該底壁１１の底面に被せる底部４６とからなる。前記側部４２、４３は側壁１４Ａ、１４Ｂの出口側外面に被せ、側壁１４Ａ、１４Ｂの上端面に両側上部４４、４５を被せるものとしている。キャップ状の閉鎖板４０を前記形状として、枝線挿通路３の出口３ａに外嵌保持されるようにしている。
閉鎖板４０の正面部４１には、第１実施形態と同様に、切り込み２１を入れて分割片２２を設けている。
他の構成は、第１実施形態と同様であり、同一符号を付して説明を省略する。
【００３２】
該第２実施形態のプロテクタ１−２の作用は第１実施形態と同様で、挿通するワイヤハーネスに枝線がある時は、枝線挿通路３に枝線５２を通し、該枝線５２の上方からの押し込みで、図６（Ｄ）に示すように、閉鎖板４０の分割片２２が折れ曲がって枝線を通している。一方、枝線がない時は、閉鎖板４０で出口３ａを塞ぐため、浸水や異物の侵入を阻止できる。
なお、閉鎖板４０を後付けのキャップ状としているため、プロテクタの本体にワイヤハーネスを通す際は閉鎖板４０を取り付けず、枝線が無い場合に閉鎖板４０を枝線挿通路３の出口に被せてもよい。
【００３３】
図７（Ａ）〜（Ｃ）に第３実施形態のプロテクタ１−３を示す。
該プロテクタ１−３の本体１０は、幹線挿通路２の出口側を二股に分岐して第２枝線挿通路４と第３枝線挿通路５を設け、幹線挿通路２の途中に設けた第１の枝線挿通路３とあわて３つの枝線挿通路を備えている。第２枝線挿通路４には枝線は必ず通されるが、第１の枝線挿通路３と第３枝線挿通路５には車種や車格によって枝線が通されない場合がある。よって、第１の枝線挿通路３と第３枝線挿通路５の出口３ａ、５ａを塞ぐ閉鎖板６０、６０を後付けで取り付けている。なお、図中１１ｂは出口３ａの底壁から突出させたテープ巻き片である。
【００３４】
前記出口３ａ、５ａを塞ぐ閉鎖板６０は、汎用されている塩化ビニル製ラップ、ポリエチレン製ラップ等の極薄で破れやすい脆弱性を有する樹脂フィルムで形成している。
図７（Ａ）（Ｂ）に示すように該樹脂フィルムを枝線挿通路３、５の出口３ａ、５ａを塞ぐように被せて、その両側部６０ｂ、６０ｃを両側壁１４Ａ、１４Ｂの外面に折り曲げて巻き付け、該両側壁１４Ａ、１４Ｂの外面に予め塗布している接着剤に樹脂フィルムを接着固定している。
【００３５】
枝線挿通路３に枝線５２を挿通する時、枝線５２を上方から閉鎖板６０に押し付けていくと、図７（Ｃ）に示すように、閉鎖板６０は伸びながら破れ、枝線５２を通すこととなる。第３枝線挿通路５に枝線を通す場合も同様で、枝線により閉鎖板６０を破って挿通している。
【００３６】
閉鎖板６０を構成する樹脂フィルムは衝撃的な圧力を加えなければ破れないため、挿通する枝線がない場合に、浸水および異物の侵入を阻止することができる。かつ、該閉鎖板６０は汎用されている安価な樹脂フィルムを利用できるため、製造コストを低減できる。  なお、第２実施形態の閉鎖板４０と同様に、樹脂フィルムを出口に貼り付ける閉鎖板６０もプロテクタの本体にワイヤハーネスを通す際は閉鎖板６０を取り付けず、枝線が無い場合に閉鎖板６０を枝線挿通路の出口に貼り付けてもよい。
【００３７】
図８（Ａ）〜（Ｃ）に第４実施形態のプロテクタ１−４を示す。
図８（Ａ）に示すように、幹線挿通路２から分岐する枝線挿通路３の途中に一方側壁１４Ｂの内面から閉鎖板７０を薄肉ヒンジ部７１を介して揺動自在に突設している。該閉鎖板７０および薄肉ヒンジ部７１は本体１０と一体的に成形しており、よって、閉鎖板７０は樹脂製としている。なお、第１実施形態と同様に閉鎖板をエラストマー製とし、２色成形で設けてもよい。
【００３８】
閉鎖板７０は枝線挿通路３を横断的に閉鎖する大きさの平板状の矩形板とし、突出側の先端７０ａを円弧形状とすると共に、該先端７０ａと対向位置の側壁１４Ａの内面に半球状凹部１４ｖを設け、先端７０ａを半球状凹部１４ｖに嵌合係止している。図８（Ｂ）に示す嵌合係止状態で閉鎖板７０で枝線挿通路３を閉鎖し、該枝線挿通路３に枝線を挿通しない時に、浸水や異物の侵入を阻止している。
【００３９】
一方、枝線挿通路３に枝線５２を通す時、図８（Ｃ）に示すように、閉鎖板７０を薄肉ヒンジ部７１を支点として回転させ、側壁１４Ｂに沿った水平方向の開放位置として、枝線５２を上方から挿入できるようにしている。その際、閉鎖板７０の先端７０ａを円弧状とすると共に半球状凹部１４ｖに嵌合しているため、先端７０ａを回転させて半球状凹部１４ｖからスムーズに離脱させて回転することができる。該閉鎖板７０を開放位置に回転する操作は、枝線５２を枝線挿通路３に挿入する前または挿入と同時に作業員の操作で簡単に行うことができる。
【００４０】
なお、図８（Ｂ）に示すように、枝線５２を幹線挿通路に挿通する幹線側から挿入してくると、図中矢印で示す枝線の挿入力で、閉鎖板７０を回転させて開放位置とし、枝線５２を通すことができる。
【符号の説明】
【００４１】
１  プロテクタ
２  幹線挿通路
３  枝線挿通路
１０  本体
１５  蓋
２０  閉鎖板
２１  切り込み
２２  分割片
５０  ワイヤハーネス
５１  幹線
５２  枝線
【図１】
0006439674.tif 000002
【図２】
0006439674.tif 000003
【図３】
0006439674.tif 000004
【図４】
0006439674.tif 000005
【図５】
0006439674.tif 000006
【図６】
0006439674.tif 000007
【図７】
0006439674.tif 000008
【図８】
0006439674.tif 000009
【図９】
0006439674.tif 000010
【図１０】
0006439674.tif 000011